(57)【要約】【課題】テレビジョン受像機において、音声搬送方式の誤判別による音声不具合の発生を抑える。【解決手段】テレビジョン受像機は、放送方式がＰＡＬ方式である場合（＃３でＹＥＳ）、まず、第１の基準レベルより強い電波の周波数の範囲に基いて音声搬送波の周波数を特定し、その特定した音声搬送波の周波数に基いて、放送方式がＰＡＬ−ＢＧ、ＰＡＬ−Ｉ、ＰＡＬ−ＤＫの何れであるかを判別する第１のＰＡＬ判別処理を行う（＃４）。判別に成功しなかった場合には（＃５でＮＯ）、第１の基準レベルよりも弱い第２の基準レベルより強い電波のうち最も強いレベルの周波数を音声搬送波の周波数として特定し、その特定した音声搬送波の周波数に基いて、放送方式がＰＡＬ−ＢＧ、ＰＡＬ−Ｉ、ＰＡＬ−ＤＫの何れであるかを判別する第２のＰＡＬ判別処理を行う（＃７）。これにより、電波が弱い場合に、ＰＡＬ方式の音声搬送方式の誤判別が抑えられる。【選択図】図２
2010114820.tif 000002
【特許請求の範囲】
【請求項１】
放送局から配信されるテレビジョン信号（以下、テレビ信号と略す）を受信して、前記テレビ信号に基く映像を表示すると共に、前記テレビ信号に基く音声を出力するテレビジョン受像機において、
前記テレビ信号に含まれる音声信号を搬送する音声搬送波の周波数と前記テレビ信号に含まれる映像信号を搬送する映像搬送波の周波数との周波数差に基いて、テレビ信号の放送方式がＰＡＬ−ＢＧ、ＰＡＬ−Ｉ、ＰＡＬ−ＤＫの何れであるかを判別するＰＡＬ判別手段を備え、
前記ＰＡＬ判別手段は、
前記音声搬送波の送信されている可能性のある所定の周波数帯域内において第１の基準レベルより強い電波を受信できている場合に、その受信できている電波の周波数の範囲に基いて前記音声搬送波の周波数を特定し、その特定した音声搬送波の周波数と前記映像搬送波の周波数との周波数差に基いて、前記テレビ信号の放送方式がＰＡＬ−ＢＧ、ＰＡＬ−Ｉ、ＰＡＬ−ＤＫの何れであるかを判別する第１のＰＡＬ判別手段と、
前記第１のＰＡＬ判別手段で前記第１の基準レベルより強い電波を受信できていない場合であって、前記音声搬送波の送信されている可能性のある所定の周波数帯域内において前記第１の基準レベルよりも弱い第２の基準レベルより強い電波を受信できている場合に、その受信できている電波のうち最も強いレベルの周波数を前記音声搬送波の周波数として特定し、その特定した音声搬送波の周波数と前記映像搬送波の周波数との周波数差に基いて、前記テレビ信号の放送方式がＰＡＬ−ＢＧ、ＰＡＬ−Ｉ、ＰＡＬ−ＤＫの何れであるかを判別する第２のＰＡＬ判別手段とを有する、
ことを特徴とするテレビジョン受像機。
【請求項２】
前記ＰＡＬ判別手段は、
前記第２のＰＡＬ判別手段で前記第２の基準レベルより強い電波を受信できていない場合に、ユーザの操作により既に設定されているカントリー設定に基いて、前記テレビ信号の放送方式がＰＡＬ−ＢＧ、ＰＡＬ−Ｉ、ＰＡＬ−ＤＫの何れであるかを判別する第３のＰＡＬ判別手段をさらに有する、
ことを特徴とする請求項１に記載のテレビジョン受像機。
【請求項３】
前記映像信号を解析し、その解析結果に基いて、前記テレビ信号の放送方式がＰＡＬ方式とＳＥＣＡＭ方式のどちらであるかを判別するＰＡＬ／ＳＥＣＡＭ判別手段をさらに備える、
ことを特徴とする請求項２に記載のテレビジョン受像機。
【発明の詳細な説明】
【技術分野】
【０００１】
本発明は、放送局から放送されるテレビジョン信号（以下、テレビ信号と略す）を受信して、テレビ信号に基く映像を表示すると共に、テレビ信号に基く音声を出力するテレビジョン受像機に関するものである。
【背景技術】
【０００２】
従来から、テレビ信号は、映像信号と音声信号を含んでおり、テレビ信号の放送は、映像信号で映像搬送波を変調すると共に音声信号で音声搬送波を変調し、それら映像信号で映像搬送波を変調した映像被変調波及び音声信号で音声搬送波を変調した音声被変調波を、放送局から電波の形態で送信することにより行われている。テレビジョン受像機では、放送局から送信される電波（電波の形態で送信されるテレビ信号）を受信し、その受信信号（ＲＦ信号）からテレビ信号に基く映像を再生すると共にテレビ信号に基く音声を再生するようになっている。
【０００３】
ところで、ヨーロッパでは、テレビ信号の放送方式として、ＰＡＬ方式とＳＥＣＡＭ方式が採用されている。ＰＡＬ方式とＳＥＣＡＭ方式では、映像信号の構成に違いがある。また、ＰＡＬ方式には、ＰＡＬ−ＢＧ方式、ＰＡＬ−Ｉ方式、ＰＡＬ−ＤＫ方式がある。ＰＡＬ−ＢＧ方式と、ＰＡＬ−Ｉ方式と、ＰＡＬ−ＤＫ方式とでは、音声搬送方式が異なっており、映像搬送波の周波数と音声搬送波の周波数との周波数差に違いがある。すなわち、ＰＡＬ−ＢＧ方式では、映像搬送波の周波数より５．５ＭＨｚ高い周波数が音声搬送波の周波数とされており、ＰＡＬ−Ｉ方式では、映像搬送波の周波数より６．０ＭＨｚ高い周波数が音声搬送波の周波数とされており、ＰＡＬ−ＤＫ方式では、映像搬送波の周波数より６．６ＭＨｚ高い周波数が音声搬送波の周波数とされている。
【０００４】
そこで、これらのテレビ信号の放送方式を判別し、テレビ信号に基く映像を再生するための映像再生システム、及びテレビ信号に基く音声を再生するための音声再生システムを、テレビ信号の放送方式に応じて設定するようにしたテレビジョン受像機がある。
【０００５】
従来のテレビジョン受像機では、テレビ信号の放送方式がＰＡＬ方式とＳＥＣＡＭ方式のどちらであるかの判別は、映像信号を解析して、映像信号の違いに基いて、判別するようになっている。また、ＰＡＬ方式における音声搬送方式の判別（すなわち、ＰＡＬ−ＢＧ方式、ＰＡＬ−Ｉ方式、ＰＡＬ−ＤＫ方式の何れであるかの判別）は、音声搬送波の送信されている可能性のある所定の周波数帯域内（例えば、映像搬送波の周波数から５．０ＭＨｚ〜７．０ＭＨｚ高い周波数帯域内）において基準レベルより強い電波の周波数の範囲に基いて、音声搬送波の周波数を特定し、そして、その特定した音声搬送波の周波数と映像搬送波の周波数との周波数差に基いて、判別するようになっている。
【０００６】
一方、アナログ放送の映像信号に含まれるブランキング信号の解析結果と、デジタル放送のデータの解析結果と、アナログ放送の音声信号の復調結果とに基いて、チューナが受信している国又は地域を判断するようにしたテレビジョン受像機が知られている（例えば特許文献１参照）。また、複数の放送システムを順次切換えつつ、各放送システムについて受信局に対応する受信周波数を記憶手段に記憶させるようにしたテレビジョン受像機が知られている（例えば特許文献２参照）。
【特許文献１】特開２００８−２８９４３号公報
【特許文献２】特開平９−９３５０８号公報
【発明の開示】
【発明が解決しようとする課題】
【０００７】
ところで、上述した従来のテレビジョン受像機においては、音声搬送波のレベルが低い場合や隣接チャンネルの影響などがある場合、ＰＡＬ方式における音声搬送方式の判別を正確に行うことができず、ＰＡＬ方式における音声搬送方式を誤判別することがある。音声搬送方式を誤判別すると、音声再生システムを音声搬送方式に対応したものに設定することができないため、音声が正常に再生されない音声不具合を発生する。なお、上述した特許文献１及び特許文献２に開示の内容を適用したとしても、上記の問題を解決することはできない。
【０００８】
本発明は、上記課題を解決するためになされたものであり、音声搬送方式の誤判別による音声不具合の発生を抑えることができるテレビジョン受像機を提供することを目的とする。
【課題を解決するための手段】
【０００９】
上記目的を達成するために請求項１の発明は、放送局から配信されるテレビジョン信号（以下、テレビ信号と略す）を受信して、テレビ信号に基く映像を表示すると共に、テレビ信号に基く音声を出力するテレビジョン受像機において、テレビ信号に含まれる音声信号を搬送する音声搬送波の周波数とテレビ信号に含まれる映像信号を搬送する映像搬送波の周波数との周波数差に基いて、テレビ信号の放送方式がＰＡＬ−ＢＧ、ＰＡＬ−Ｉ、ＰＡＬ−ＤＫの何れであるかを判別するＰＡＬ判別手段を備え、ＰＡＬ判別手段は、音声搬送波の送信されている可能性のある所定の周波数帯域内において第１の基準レベルより強い電波を受信できている場合に、その受信できている電波の周波数の範囲に基いて音声搬送波の周波数を特定し、その特定した音声搬送波の周波数と映像搬送波の周波数との周波数差に基いて、テレビ信号の放送方式がＰＡＬ−ＢＧ、ＰＡＬ−Ｉ、ＰＡＬ−ＤＫの何れであるかを判別する第１のＰＡＬ判別手段と、第１のＰＡＬ判別手段で第１の基準レベルより強い電波を受信できていない場合であって、音声搬送波の送信されている可能性のある所定の周波数帯域内において第１の基準レベルよりも弱い第２の基準レベルより強い電波を受信できている場合に、その受信できている電波のうち最も強いレベルの周波数を音声搬送波の周波数として特定し、その特定した音声搬送波の周波数と映像搬送波の周波数との周波数差に基いて、テレビ信号の放送方式がＰＡＬ−ＢＧ、ＰＡＬ−Ｉ、ＰＡＬ−ＤＫの何れであるかを判別する第２のＰＡＬ判別手段とを有するものである。
【００１０】
請求項２の発明は、請求項１に記載のテレビジョン受像機において、ＰＡＬ判別手段は、第２のＰＡＬ判別手段で第２の基準レベルより強い電波を受信できていない場合に、ユーザの操作により既に設定されているカントリー設定に基いて、テレビ信号の放送方式がＰＡＬ−ＢＧ、ＰＡＬ−Ｉ、ＰＡＬ−ＤＫの何れであるかを判別する第３のＰＡＬ判別手段をさらに有するものである。
【００１１】
請求項３の発明は、請求項２に記載のテレビジョン受像機において、映像信号を解析し、その解析結果に基いて、テレビ信号の放送方式がＰＡＬ方式とＳＥＣＡＭ方式のどちらであるかを判別するＰＡＬ／ＳＥＣＡＭ判別手段をさらに備えるものである。
【発明の効果】
【００１２】
請求項１の発明によれば、音声搬送波のレベルが低い場合や隣接チャンネルの影響などがある場合でも、テレビ信号の放送方式がＰＡＬ−ＢＧ方式、ＰＡＬ−Ｉ方式、ＰＡＬ−ＤＫ方式の何れであるかの判別（すなわちＰＡＬ方式における音声搬送方式の判別）をより正確に行うことができ、ＰＡＬ方式における音声搬送方式の誤判別を抑えることができる。これにより、この判別結果に基いて、テレビ信号に基く音声を再生するための音声再生システムを音声搬送方式に対応したものに設定することができ、音声搬送方式の誤判別による音声不具合の発生を抑えることができる。
【００１３】
請求項２の発明によれば、音声搬送波の周波数と映像搬送波の周波数との周波数差からは、テレビ信号の放送方式がＰＡＬ−ＢＧ方式、ＰＡＬ−Ｉ方式、ＰＡＬ−ＤＫ方式の何れであるかの判別を行えない場合であっても、ユーザの操作により既に設定されているカントリー設定に基いて、テレビ信号の放送方式がＰＡＬ−ＢＧ方式、ＰＡＬ−Ｉ方式、ＰＡＬ−ＤＫ方式の何れであるかの判別を行うことができ、ＰＡＬ方式における音声搬送方式の誤判別をより抑えることができる。これにより、音声搬送方式の誤判別による音声不具合の発生をより抑えることができる。
【００１４】
請求項３の発明によれば、テレビ信号の放送方式がＰＡＬ方式とＳＥＣＡＭ方式のどちらであるかについても判別することができ、利便性が向上する。
【発明を実施するための最良の形態】
【００１５】
以下、本発明を具体化した実施形態によるテレビジョン受像機について図面を参照して説明する。図１は、本実施形態によるテレビジョン受像機の構成を示す。テレビジョン受像機１は、放送局から配信されるテレビジョン信号（以下、テレビ信号と略す）を受信して、テレビ信号に基く映像を表示すると共に、テレビ信号に基く音声を出力する機器である。テレビ信号は、映像信号と音声信号を含んでおり、テレビ信号の放送は、映像信号で映像搬送波を変調した映像被変調波及び音声信号で音声搬送波を変調した音声被変調波を、放送局から電波の形態で送信することにより行われている。テレビジョン受像機１は、放送局から送信される電波（電波の形態で送信されるテレビ信号）を受信し、その受信信号（ＲＦ信号）からテレビ信号に基く映像を再生すると共にテレビ信号に基く音声を再生するようになっている。
【００１６】
また、このテレビジョン受像機１は、テレビ信号の放送方式としてＰＡＬ方式とＳＥＣＡＭ方式に対応している。ＰＡＬ方式とＳＥＣＡＭ方式では、映像信号の構成に違いがある。また、ＰＡＬ方式には、ＰＡＬ−ＢＧ方式、ＰＡＬ−Ｉ方式、ＰＡＬ−ＤＫ方式がある。ＰＡＬ−ＢＧ方式、ＰＡＬ−Ｉ方式、ＰＡＬ−ＤＫ方式では、音声搬送方式が異なっており、映像搬送波の周波数と音声搬送波の周波数との周波数差に違いがある。すなわち、ＰＡＬ−ＢＧ方式では、映像搬送波の周波数より５．５ＭＨｚ高い周波数が音声搬送波の周波数とされており、ＰＡＬ−Ｉ方式では、映像搬送波の周波数より６．０ＭＨｚ高い周波数が音声搬送波の周波数とされており、ＰＡＬ−ＤＫ方式では、映像搬送波の周波数より６．６ＭＨｚ高い周波数が音声搬送波の周波数とされている。
【００１７】
また、このテレビジョン受像機１は、テレビ信号の放送方式がＰＡＬ方式とＳＥＣＡＭ方式のどちらであるかを自動的に判別すると共に、放送方式がＰＡＬ方式である場合に、放送方式がＰＡＬ−ＢＧ、ＰＡＬ−Ｉ、ＰＡＬ−ＤＫの何れであるか（すなわちＰＡＬ方式における音声搬送方式）を自動的に判別する機能を有している。そして、このテレビジョン受像機１は、テレビ信号に基く映像を再生するための映像再生システム、及びテレビ信号に基く音声を再生するための音声再生システムを、自動的にテレビ信号の放送方式に対応したものに設定するようになっている。
【００１８】
テレビジョン受像機１は、チューナ２と、フィルタ３と、映像再生部４と、音声再生部５と、ディスプレイ６と、スピーカ７と、映像信号解析部８と、周波数範囲検出部９と、最強周波数検出部１０と、リモコン（リモートコントローラ）１１と、リモコン受信部１２と、メモリ１３と、テレビジョン受像機１の動作を制御するＣＰＵ、ＲＯＭ、及びＲＡＭ等を含む制御部１４等を備える。制御部１４のＲＯＭは、テレビジョン受像機１の動作を制御するためのプログラムや各種データを記憶している。
【００１９】
チューナ２は、制御部１４による制御のもと、その受信周波数がテレビ信号のチャンネルに対応する周波数に設定されることにより、そのチャンネルの周波数の電波（すなわち、そのチャンネルの周波数の電波の形態で送信されるテレビ信号）を受信し、その受信信号（ＲＦ信号）をフィルタ３に出力する。チューナ２から出力される受信信号は、映像信号で映像搬送波を変調した映像被変調波信号、及び音声信号で音声搬送波を変調した音声被変調波信号を含んでいる。
【００２０】
フィルタ３は、制御部１４による制御のもと、チューナ２から出力される受信信号を処理して、受信信号から映像被変調波信号と音声被変調波信号とを分離し、映像被変調波信号を映像再生部４に出力すると共に、音声被変調波信号を音声再生部５に出力する。
【００２１】
映像再生部４は、制御部１４による制御のもと、フィルタ３から出力される映像被変調波信号から映像信号を復調、復号し、そして、その映像信号から映像再生信号（テレビ信号に基く映像をディスプレイ６で再生するための信号）を生成し、その映像再生信号をディスプレイ６に出力する。この映像再生部４は、その映像再生システム（映像被変調信号から映像信号を復調、復号する方法や、映像信号から映像再生信号を生成する方法など）が、ＰＡＬ方式とＳＥＣＡＭ方式に対応可能になっている。映像再生部４の映像再生システムは、制御部１４による制御のもと、ＰＡＬ方式に対応したものとＳＥＣＡＭ方式に対応したもののどちらかに設定される。映像再生部４からディスプレイ６に映像再生信号が出力されることにより、その映像再生信号による映像がディスプレイ６に表示され、テレビ信号に基く映像が再生される。
【００２２】
音声再生部５は、制御部１４による制御のもと、フィルタ３から出力される音声被変調波信号から音声信号を復調、復号し、そして、その音声信号から音声再生信号（テレビ信号に基く音声をスピーカ７で再生するための信号）を生成し、その音声再生信号をスピーカ７に出力する。この音声再生部５は、その音声再生システム（音声被変調信号から音声信号を復調、復号する方法や、音声信号から音声再生信号を生成する方法など）が、ＰＡＬ方式とＳＥＣＡＭ方式に対応可能になっており、また、ＰＡＬ方式のうちＰＡＬ−ＢＧ方式、ＰＡＬ−Ｉ方式、ＰＡＬ−ＤＫ方式に対応可能になっている。音声再生部５の音声再生システムは、制御部１４による制御のもと、ＰＡＬ方式に対応したものとＳＥＣＡＭ方式に対応したもののどちらかに設定され、また、ＰＡＬ方式のうちＰＡＬ−ＢＧ方式に対応したもの、ＰＡＬ−Ｉ方式に対応したもの、ＰＡＬ−ＤＫ方式に対応したものの何れかに設定される。音声再生部５からスピーカ７に音声再生信号が出力されることにより、その音声再生信号による音声がスピーカ７から出力され、テレビ信号に基く音声が再生される。
【００２３】
映像信号解析部８は、制御部１４による制御のもと、チューナ２から出力される受信信号に基いて、映像信号を解析し、その解析結果として、その映像信号の種類を出力する。すなわち、映像信号解析部８は、映像信号がＰＡＬ方式のものである場合には、映像信号がＰＡＬ方式のものであることを示す信号を出力し、映像信号がＳＥＣＡＭ方式のものである場合には、映像信号がＳＥＣＡＭ方式のものであることを示す信号を出力する。また、映像信号解析部８は、映像信号がＰＡＬ方式とＳＥＣＡＭ方式のどちらのものでもない場合（映像信号がＰＡＬ方式とＳＥＣＡＭ方式のどちらのものであるか特定できない場合）には、映像信号がＰＡＬ方式とＳＥＣＡＭ方式のどちらのものでもないことを示す信号を出力する。
【００２４】
周波数範囲検出部９は、制御部１４による制御のもと、チューナ２から出力される受信信号に基いて、選局チャンネルにおける音声搬送波の送信されている可能性のある所定の周波数帯域内（例えば、映像搬送波の周波数から５．０ＭＨｚ〜７．０ＭＨｚ高い周波数帯域内）において第１の基準レベルより強い電波が受信できている場合に、その受信できている電波の周波数の範囲を出力する。すなわち、例えば周波数ｆａ〜ｆｂの範囲で第１の基準レベルより強い電波が受信できている場合には、その周波数ｆａ〜ｆｂを示す信号を出力する。
【００２５】
最強周波数検出部１０は、制御部１４による制御のもと、チューナ２から出力される受信信号に基いて、選局チャンネルにおける音声搬送波の送信されている可能性のある所定の周波数帯域内（例えば、映像搬送波の周波数から５．０ＭＨｚ〜７．０ＭＨｚ高い周波数帯域内）において第１の基準レベルよりも弱い第２の基準レベルより強い電波を受信できている場合に、その受信できている電波のうち最も強いレベルの周波数を出力する。すなわち、例えば周波数ｆｃで第２の基準レベルを超える、最も強いレベルの電波を受信できている場合には、その周波数ｆｃを示す信号を出力する。
【００２６】
リモコン１１は、テレビジョン受像機１の電源のオン／オフ、テレビ信号のチャンネルの選局等、テレビジョン受像機１の各種動作を制御するためにユーザに操作され、その操作内容を示す操作信号を無線信号によって送信する。リモコン受信部１２は、リモコン１１から送信された無線信号を受信して、リモコン１１の操作内容を示すリモコン受信信号を出力する。
【００２７】
メモリ１３は、各国や各地域とテレビ信号の放送方式との対応を示す放送方式対応データや、各放送方式における映像搬送波の周波数と音声搬送波の周波数との周波数差を示す周波数差データ、テレビ信号の各チャンネルの周波数を示すチャンネル周波数データ等を予め記憶している。また、メモリ１３は、制御部１４による制御のもと、テレビジョン受像機１の各種設定データを記憶する。
【００２８】
制御部１４は、リモコン受信部１２から出力されるリモコン受信信号を基にリモコン１１の操作内容を判断し、リモコン１１の操作に基いて、カントリー設定動作、チャンネルプリセット動作、テレビ受像動作等、テレビジョン受像機１の各種動作を制御する。映像信号解析部８及び制御部１４等によって、ＰＡＬ／ＳＥＣＡＭ判別手段が構成されている。また、周波数範囲検出部９、最強周波数検出部１０、メモリ１３及び制御部１４等によって、ＰＡＬ判別手段が構成されている（周波数範囲検出部９及び制御部１４等によって、第１のＰＡＬ判別手段が構成されており、最強周波数検出部１０及び制御部１４等によって、第２のＰＡＬ判別手段が構成されており、メモリ１３及び制御部１４等によって、第３のＰＡＬ判別手段が構成されている）。
【００２９】
カントリー設定動作とは、テレビジョン受像機１を設置する国や地域をユーザの操作により設定して、テレビジョン受像機１を設置する国や地域を示すカントリーデータをメモリ１３に記憶する動作である。カントリー設定動作は、ユーザによるリモコン１１の操作を受けて行われる。
【００３０】
チャンネルプリセット動作とは、受信可能なチャンネルを自動的に検出すると共に、受信可能なチャンネルにおけるテレビ信号の放送方式を自動的に判別して、受信可能なチャンネル及びそのチャンネルにおけるテレビ信号の放送方式を示すチャンネルプリセットデータをメモリ１３に記憶する動作である。チャンネルプリセット動作は、カントリー設定動作が行われた後に自動的に行われる。
【００３１】
テレビ受像動作とは、チャンネルを選局して、その選局チャンネルのテレビ信号に基く映像を表示すると共に音声を出力する動作である。テレビ受像動作は、ユーザによるリモコン１１の操作などを受けて行われる。テレビ受像動作において、制御部１４は、チャンネルプリセット動作でのテレビ信号の放送方式の判別結果を反映させる。すなわち、制御部１４は、テレビ受像動作において、メモリ１３に記憶しているチャンネルプリセットデータに基いて、映像再生部４の映像再生システム及び音声再生部５の音声再生システムを、選局チャンネルのテレビ信号の放送方式に対応したものに設定する。
【００３２】
図２は、上記テレビジョン受像機１のチャンネルプリセット動作のフローチャートを示す。チャンネルプリセット動作は、上述のように、カントリー設定動作が行われた後に自動的に行われる。チャンネルプリセット動作では、まず、制御部１４は、チューナ２の受信周波数を最初のチャンネルの周波数にして、最初のチャンネルを選局する（＃１）。
【００３３】
そして、制御部１４は、ＰＡＬ／ＳＥＣＡＭ判別処理を行う（＃２）。このＰＡＬ／ＳＥＣＡＭ判別処理は、選局チャンネルのテレビ信号の映像信号を解析し、その解析結果に基いて、選局チャンネルのテレビ信号の放送方式がＰＡＬ方式とＳＥＣＡＭ方式のどちらであるかを判別する処理である。
【００３４】
すなわち、ＰＡＬ／ＳＥＣＡＭ判別処理において、制御部１４は、映像信号解析部８の出力信号（映像信号の解析結果として出力される、その映像信号の種類）に基いて、選局チャンネルのテレビ信号の放送方式がＰＡＬ方式とＳＥＣＡＭ方式のどちらであるかを判別する。
【００３５】
ここで、テレビ信号の放送方式がＰＡＬ方式であれば（＃３でＹＥＳ）、制御部１４は、第１のＰＡＬ判別処理を行う（＃４）。この第１のＰＡＬ判別処理は、選局チャンネルのテレビ信号の音声搬送波の送信されている可能性のある所定の周波数帯域内（例えば、映像搬送波の周波数から５．０ＭＨｚ〜７．０ＭＨｚ高い周波数帯域内）において第１の基準レベルより強い電波を受信できている場合に、その受信できている電波の周波数の範囲に基いて、選局チャンネルのテレビ信号の音声搬送波の周波数を特定し、その特定した音声搬送波の周波数と映像搬送波の周波数との周波数差に基いて、テレビ信号の放送方式がＰＡＬ−ＢＧ、ＰＡＬ−Ｉ、ＰＡＬ−ＤＫの何れであるかを判別する処理である。
【００３６】
すなわち、第１のＰＡＬ判別処理において、制御部１４は、周波数範囲検出部９の出力信号（選局チャンネルのテレビ信号の音声搬送波の送信されている可能性のある所定の周波数帯域内において第１の基準レベルより強い電波波を受信できている場合に出力される、その受信できている電波の周波数の範囲）に基いて、選局チャンネルのテレビ信号の音声搬送波の周波数を特定する。例えば、周波数範囲検出部９の出力信号が周波数ｆａ〜ｆｂを示していれば、制御部１４は、その中間の周波数（ｆａ−ｆｂ）／２が選局チャンネルのテレビ信号の音声搬送波の周波数であると特定する。
【００３７】
そして、制御部１４は、その特定した音声搬送波の周波数と、予め記憶している選局チャンネルの映像搬送波の周波数に基いて、音声搬送波の周波数と映像搬送波の周波数との周波数差を求め、その周波数差に基いて、選局チャンネルのテレビ信号の放送方式がＰＡＬ−ＢＧ、ＰＡＬ−Ｉ、ＰＡＬ−ＤＫの何れであるかを判別する。つまり、音声搬送波の周波数と映像搬送波の周波数との周波数差が、５．５ＭＨｚ（ＰＡＬ−ＢＧ方式における音声搬送波の周波数と映像搬送波の周波数との周波数差）、６．０ＭＨｚ（ＰＡＬ−Ｉ方式における音声搬送波の周波数と映像搬送波の周波数との周波数差）、６．５ＭＨｚ（ＰＡＬ−ＤＫ方式における音声搬送波の周波数と映像搬送波の周波数との周波数差）の何れに最も近いかを判断して、テレビ信号の放送方式がＰＡＬ−ＢＧ、ＰＡＬ−Ｉ、ＰＡＬ−ＤＫの何れであるかを判別する。例えば、音声搬送波の周波数と映像搬送波の周波数との周波数差が、５．６ＭＨｚでれば、テレビ信号の放送方式がＰＡＬ−ＢＧであると判別する。
【００３８】
第１のＰＡＬ判別処理によって判別に成功すれば（＃５でＹＥＳ）、制御部１４は、選局チャンネルが受信可能なチャンネルであるとして、チャンネルプリセットデータをメモリ１３に記憶する（＃６）。すなわち、制御部１４は、選局中のチャンネル及び判別した放送方式を示すデータをチャンネルプリセットデータとしてメモリ１３に記憶する。例えば、テレビ信号の放送方式がＰＡＬ−ＢＧであると判別した場合には、制御部１４は、選局中のチャンネル及びＰＡＬ−ＢＧ方式を示すデータをチャンネルプリセットデータとしてメモリ１３に記憶する。
【００３９】
一方、第１のＰＡＬ判別処理によって判別に成功しなければ（つまり、第１のＰＡＬ判別処理において第１の基準レベルより強い電波を受信できなければ）（＃５でＮＯ）、制御部１４は、第２のＰＡＬ判別処理を行う（＃７）。この第２のＰＡＬ判別処理は、第１のＰＡＬ判別処理で第１の基準レベルより強い電波を受信できていない場合であって、選局チャンネルのテレビ信号の音声搬送波の送信されている可能性のある所定の周波数帯域内（例えば、映像搬送波の周波数から５．０ＭＨｚ〜７．０ＭＨｚ高い周波数帯域内）において第１の基準レベルよりも弱い第２の基準レベルより強い電波を受信できている場合に、その受信できている電波のうち最も強いレベルの周波数を音声搬送波の周波数として特定し、その特定した音声搬送波の周波数と映像搬送波の周波数との周波数差に基いて、テレビ信号の放送方式がＰＡＬ−ＢＧ、ＰＡＬ−Ｉ、ＰＡＬ−ＤＫの何れであるかを判別する処理である。
【００４０】
すなわち、第２のＰＡＬ判別処理において、制御部１４は、最強周波数検出部１０の出力信号（選局チャンネルのテレビ信号の音声搬送波の送信されている可能性のある所定の周波数帯域内において第１の基準レベルよりも弱い第２の基準レベルより強い電波を受信できている場合に出力される、その受信できている電波のうち最も強いレベルの周波数）に基いて、その出力信号の示す周波数を選局チャンネルのテレビ信号の音声搬送波の周波数として特定する。例えば、最強周波数検出部１０の出力信号が周波数ｆｃを示していれば、制御部１４は、その周波数ｆｃが選局チャンネルのテレビ信号の音声搬送波の周波数であると特定する。
【００４１】
そして、制御部１４は、第１のＰＡＬ判別処理におけるのと同様に、その特定した音声搬送波の周波数と、予め記憶している選局チャンネルの映像搬送波の周波数に基いて、音声搬送波の周波数と映像搬送波の周波数との周波数差を求め、その周波数差に基いて、選局チャンネルのテレビ信号の放送方式がＰＡＬ−ＢＧ、ＰＡＬ−Ｉ、ＰＡＬ−ＤＫの何れであるかを判別する。
【００４２】
第２のＰＡＬ判別処理によって判別に成功すれば（＃８でＹＥＳ）、制御部１４は、選局チャンネルが受信可能なチャンネルであるとして、チャンネルプリセットデータをメモリ１３に記憶する（＃６）。すなわち、制御部１４は、第１のＰＡＬ判別処理によって判別に成功した場合と同様に、選局中のチャンネル及び判別した放送方式を示すデータをチャンネルプリセットデータとしてメモリ１３に記憶する。
【００４３】
一方、第２のＰＡＬ判別処理によって判別に成功しなければ（つまり、第２のＰＡＬ判別処理において第２の基準レベルより強い電波を受信できなければ）（＃８でＮＯ）、制御部１４は、第３のＰＡＬ判別処理を行う（＃９）。この第３のＰＡＬ判別処理は、第２のＰＡＬ判別処理で第２の基準レベルより強い電波を受信できていない場合に、ユーザの操作により既に設定されているカントリー設定に基いて、テレビ信号の放送方式がＰＡＬ−ＢＧ、ＰＡＬ−Ｉ、ＰＡＬ−ＤＫの何れであるかを判別する処理である。
【００４４】
すなわち、第３のＰＡＬ判別処理において、制御部１４は、メモリ１３に記憶しているカントリーデータ（ユーザの操作により記憶されたテレビジョン受像機１を設置する国や地域を示すデータ）、及び放送方式対応データ（予め記憶している各国や各地域とテレビ信号の放送方式との対応を示すデータ）に基いて、テレビ信号の放送方式がＰＡＬ−ＢＧ、ＰＡＬ−Ｉ、ＰＡＬ−ＤＫの何れであるかを判別する。例えば、カントリーデータの示す国が「ＵＫ（イギリス）」であれば、放送方式対応データの示す対応が「ＵＫはＰＡＬ−Ｉ方式」であることに基いて、テレビ信号の放送方式がＰＡＬ−Ｉであると判別する。
【００４５】
第３のＰＡＬ判別処理によって判別に成功すれば（＃１０でＹＥＳ）、制御部１４は、選局チャンネルが受信可能なチャンネルであるとして、チャンネルプリセットデータをメモリ１３に記憶する（＃６）。すなわち、制御部１４は、第１のＰＡＬ判別処理によって判別に成功した場合と同様に、選局中のチャンネル及び判別した放送方式を示すデータをチャンネルプリセットデータとしてメモリ１３に記憶する。
【００４６】
また、上記＃２のＰＡＬ／ＳＥＣＡＭ判別処理の結果、テレビ信号の放送方式がＰＡＬ方式でなく（＃３でＮＯ）、ＳＥＣＡＭ方式であれば（＃１１でＹＥＳ）、制御部１４は、選局チャンネルが受信可能なチャンネルであるとして、チャンネルプリセットデータをメモリ１３に記憶する（＃６）。すなわち、制御部１４は、選局中のチャンネル及びＳＥＣＡＭ方式を示すデータをチャンネルプリセットデータとしてメモリ１３に記憶する。
【００４７】
なお、第３のＰＡＬ判別処理によって判別に成功しなかった場合（＃１０でＮＯ）、及び上記＃２のＰＡＬ／ＳＥＣＡＭ判別処理の結果、テレビ信号の放送方式がＰＡＬ方式でもなく（＃３でＮＯ）、ＳＥＣＡＭ方式でもない場合には（＃１１でＮＯ）、制御部１４は、選局チャンネルが受信可能なチャンネルではないとして、チャンネルプリセットデータをメモリ１３に記憶しない。すなわち、制御部１４は、選局中のチャンネル及びテレビ信号の放送方式をメモリ１３に記憶しない。
【００４８】
その後、全てのチャンネルを選局していなければ（＃１２でＮＯ）、制御部１４は、チューナ２の受信周波数を次のチャンネルの周波数にして、次のチャンネルを選局し（＃１３）、上記＃２以降の処理を繰り返す。これにより、次のチャンネルについて同様の処理が行われる。そして、全てのチャンネルを選局すれば（１２でＹＥＳ）、全てのチャンネルについて同様の処理を行ったことになり、制御部１４は、チャンネルプリセット動作を終了する。
【００４９】
チャンネルプリセット動作では、このようにして、受信可能なチャンネルが検出されると共に、受信可能なチャンネルにおけるテレビ信号の放送方式が判別されて、受信可能なチャンネル及びそのチャンネルにおけるテレビ信号の放送方式を示すチャンネルプリセットデータがメモリ１３に記憶される。そして、テレビ受像動作において、メモリ１３に記憶しているチャンネルプリセットデータに基いて、映像再生部４の映像再生システム及び音声再生部５の音声再生システムがテレビ信号の放送方式に対応したものに設定される。
【００５０】
このような構成のテレビジョン受像機１によれば、テレビ信号の放送方式がＰＡＬ方式である場合、音声搬送波のレベルが低い場合や隣接チャンネルの影響などがある場合でも、テレビ信号の放送方式がＰＡＬ−ＢＧ方式、ＰＡＬ−Ｉ方式、ＰＡＬ−ＤＫ方式の何れであるかの判別（すなわちＰＡＬ方式における音声搬送方式の判別）をより正確に行うことができ、ＰＡＬ方式における音声搬送方式の誤判別を抑えることができる。これにより、この判別結果に基いて、音声再生部５の音声再生システムを適切なものに設定することができ、音声搬送方式の誤判別による音声不具合の発生を抑えることができる。
【００５１】
しかも、音声搬送波の周波数と映像搬送波の周波数との周波数差からは、テレビ信号の放送方式がＰＡＬ−ＢＧ方式、ＰＡＬ−Ｉ方式、ＰＡＬ−ＤＫ方式の何れであるかの判別を行えない場合であっても、ユーザの操作により既に設定されているカントリー設定に基いて、テレビ信号の放送方式がＰＡＬ−ＢＧ方式、ＰＡＬ−Ｉ方式、ＰＡＬ−ＤＫ方式の何れであるかの判別を行うことができ、ＰＡＬ方式における音声搬送方式の誤判別をより抑えることができる。これにより、音声搬送方式の誤判別による音声不具合の発生をより抑えることができる。
【００５２】
なお、本発明は、上記実施形態の構成に限られず、種々の変形が可能である。例えば、ユーザがリモコンを操作して任意に選局したチャンネルに対して、チャンネルプリセット動作（テレビ信号の放送方式の判別）を行うようにしてもよい。また、テレビ信号の放送方式を判別したときに、映像再生システム及び音声再生システムをその判別した放送方式に対応したものに設定して、そのときの映像をディスプレイに表示すると共にそのときの音声をスピーカから出力し、そのときの映像及び音声をユーザに確認させた上で、ユーザによるリモコンの操作を受けてチャンネルプリセットデータをメモリに記憶するようにしてもよい。
【図面の簡単な説明】
【００５３】
【図１】本発明の一実施形態に係るテレビジョン受像機の概略構成を示す電気的ブロック構成図。
【図２】同テレビジョン受像機のチャンネルプリセット動作を示すフローチャート。
【符号の説明】
【００５４】
１    テレビジョン受像機
２    チューナ
３    フィルタ
４    映像再生部
５    音声再生部
６    ディスプレイ
７    スピーカ
８    映像信号解析部
９    周波数範囲検出部
１０    最強周波数検出部
１１    リモコン
１２    リモコン受信部
１３    メモリ
１４    制御部
【図１】
2010114820.tif 000003
【図２】
2010114820.tif 000004